(57)【特許請求の範囲】
【請求項１】
上縁部が平らな取付基部にその一端部が回動可能に軸支される腕部及び前記腕部の他端部に棒金の周面に沿って当接可能に形成された突設部を備えて鉤状に形成されると共に、前記周面に沿うように形成されて前記棒金の包装を切断する刃部を備えたカッタ部材と、
前記上縁部と前記腕部と前記突設部との間に棒金が挿入された状態で、前記カッタ部材が前記棒金に当接する方向に回動する向きに付勢する付勢部材と、
を備えることを特徴とする棒金開封装置。
【請求項２】
前記収納位置に配置された前記カッタ部材の刃部を収納する鞘部材を備えることを特徴とする請求項１記載の棒金開封装置。
【請求項３】
前記カッタ部材の上縁部に形成され、前記上縁部と前記腕部と前記突設部との間に棒金を挿入可能な位置まで前記カッタ部材を回動させるための操作部を備えることを特徴とする請求項１または請求項２記載の棒金開封装置。
【請求項４】
前記操作部は、前記腕部の上縁に配置され、前記回転軸に対して前記突設部と同一方向に配置され、前記カッタ部材が前記収納位置に配置されているとき前記取付基部の上縁部より上部に配置される引張摘部材であることを特徴とする請求項３記載の棒金開封装置。
【請求項５】
前記操作部は、前記腕部の上縁に配置され、前記突設部に対して回転軸を挟んだ位置に配置され、前記棒金の非挿入時にも前記取付基部の上縁部より突出形成される押釦状部材であることを特徴とする請求項３記載の棒金開封装置。
【請求項６】
前記取付基部は、硬貨取扱装置が載置可能な台状部材であることを特徴とする請求項１乃至５のいずれか記載の棒金開封装置。
【請求項７】
前記取付基部は、硬貨取扱装置が載置可能な台状部材に締結部材で取り付けられる取付部材であることを特徴とする請求項１乃至５のいずれか記載の棒金開封装置。
【請求項８】
前記締結部材は、前記取付部材を前記台状部材に固定するねじ部材であることを特徴とする請求項６記載の棒金開封装置。
【請求項９】
前記締結部材は、前記取付部材を前記台状部材に固定するクランプ部材であることを特徴とする請求項６記載の棒金開封装置。
【請求項１０】
請求項１又は２記載の棒金開封装置を具備することを特徴とする硬貨取扱装置。
【請求項１１】
硬貨取扱装置は、ドロワであり、棒金開封装置はドロワの硬貨収納部に配置されている
ことを特徴とする請求項１０記載の硬貨取扱装置。
【請求項１２】
硬貨取扱装置は、複数の機能部材からなるキャッシュレジスタ装置であり、棒金開封装置は複数の機能部材間に形成される隙間部に配置されていることを特徴とする請求項１０記載の硬貨取扱装置。
【発明の詳細な説明】
【技術分野】
【０００１】
本発明は、棒金開封装置に係り、特に簡単な構成で確実に棒金の包装を開封することができる棒金開封装置及びこの棒金開封装置を備えた硬貨取扱装置に関する。
【背景技術】
【０００２】
デパート、スーパーストア等の小売店では、買い物後の精算はＰＯＳ端末であるキャッシュレジスタを用いて行われる。このキャッシュレジスタには、現金等が格納されるドロワ装置が備えられている。このドロワ装置は、開閉可能な引出部を備えて構成されており、引出部の内部は仕切板で複数の収納部に区分けされており、各収納部には紙幣又は硬貨が種別に格納できるようになっている。これにより、オペレータは金銭の出し入れを容易に行うことができ、レジスタ業務を迅速に行うことができる。
【０００３】
このキャッシュレジスタを使用したレジスタ業務において、釣銭として硬貨が不足した場合には、予備の硬貨を補充することになり、これら予備の硬貨は、通常、複数枚の硬貨がビニールや紙等の包装材で包装され、棒状に形成されている。これらの棒状に包装された硬貨は棒金と称され、この棒金の包装は、運搬等の取扱中に破損しないように、包装を開封するための特別な操作をしない限り破れないように丈夫なものとされている。このため、棒金を開封するには、包装に形成された切り取り用の切欠から包装を切り裂いたり、鋏やカッタナイフ等の利器を使用して包装に切り込みを入れたりした後、この切り込みから開封するようにしていた。
【０００４】
しかし、この従来の方法で棒金を開封すると、棒金の分解に時間がかかり、レジスタ業務の効率が落ちることがある。また、利器を使うと当該利器の管理等の作業が必要になりその管理が煩雑となりレジスタ業務の効率が低下するおそれがある。更に、棒金を開封するに際して、棒金をＰＯＳ端末やレジスタ台に打ち付けることがあり、この場合ＰＯＳ端末やレジスタ台を損傷してしまうおそれがある。
【０００５】
これに対処するため、特許文献１にはキャッシュレジスタに棒金開封装置を備えるものが記載されている。このキャッシュレジスタは、そのドロワの内部に、ドロワの開閉方向に沿って棒金を載置する載置台と、棒金の包装材を開封するカッタと、このカッタを棒金に当接するよう操作する押しボタンを備え、棒金を載置台に載せ、押しボタンを下方向に押しながらドロワの開閉を行ってカッタの刃部を棒金の側面の包装材に当接させ、棒金の包装材を切断するものである。
【０００６】
また、特許文献２には、小型でＰＯＳ端末等の金銭計算機に組み込み可能な棒金開封装置が記載されている。この棒金開封装置は、棒金挿入用ガイド穴とこのガイド穴に対応して設けられたカッタ取付穴とが形成された装置本体と、カッタ取付穴に挿入されるカッタ取付部材と、このカッタ取付部材に支持されるカッタとを備え、ガイド穴の空間断面積を、棒金の断面積よりも大きく形成し、カッタを当該カッタの刃部がガイド穴の空洞部に突出するよう配設したものである。
【０００７】
【特許文献１】実開平３−６３２８１号公報
【特許文献２】特開２００２−３２８５１号公報
【発明の開示】
【発明が解決しようとする課題】
【０００８】
ところで、上述した棒金開封装置は、その構造が複雑で製造コストが嵩む他、嵩張るものであるため、容易にＰＯＳ端末に取り付けることができない。従って、既存のＰＯＳ端末等の硬貨取扱装置に配置することができないという問題がある。
【０００９】
そこで、本発明は、簡易な構造であり、嵩張らず既存の硬貨取扱装置に容易に設置することができる棒金開封装置を提供することを課題とする。
【課題を解決するための手段】
【００１０】
本発明において、上記の課題を解決するための手段は、上縁部が平らな取付基部にその一端部が回動可能に軸支される腕部及び前記腕部の他端部に棒金の周面に沿って当接可能に形成された突設部を備えて鉤状に形成されると共に、前記周面に沿うように形成されて前記棒金の包装を切断する刃部を備えたカッタ部材と、前記上縁部と前記腕部と前記突設部との間に棒金が挿入された状態で、前記カッタ部材が前記棒金に当接する方向に回動する向きに付勢する付勢部材と、を備えることを特徴とする棒金開封装置である。
【００１１】
また、本発明において、上記の課題を解決するための手段は、上記棒金開封装置を具備する硬貨取扱装置である。
【発明の効果】
【００１２】
本発明に係る棒金開封装置は、取付基部に鈎型のカッタ部材を回動可能に取り付けるという簡易な構造である他、嵩張らないので既存の硬貨取扱装置に容易に設置することができる。
【発明を実施するための最良の形態】
【００１３】
以下本発明に係る棒金開封装置の実施の形態について説明する。図１は第１の実施の形態に係る棒金開封装置をＰＯＳ端末と共に示す斜視図、図２は図１に示した棒金開封装置を示す図であり、（ａ）は正面図、（ｂ）は平面図である。
【００１４】
本例に係る棒金開封装置１００は、図１に示すように、ＰＯＳ端末１０を配置する設置台３０に設けられている。このＰＯＳ端末１０は、ＰＯＳ端末本体１１とドロワ装置２０とを備えている。ＰＯＳ端末本体１１には、表示装置１２，入力キー１３の他カード読取溝１４が配置されている。また、ドロワ装置２０には引出２１が配置されている。また、設置台３０は、最上部に水平に配置された木製の天板３１を備えており、この天板３１の側面部３２に棒金開封装置１００が設置されている。
【００１５】
棒金開封装置１００は、取付基部である天板３１にその一端部が回転軸１２０で回動可能に指示される腕部１１１及びこの腕部１１１の他端部から腕部１１１の回転面内の下方向に向け突出形成される突設部１１２を備えて鈎状に形成された例えばステンレス鋼製の部材であるカッタ部材１１０を備える。
【００１６】
このカッタ部材１１０は、前記突設部１１２が天板３１の上縁部より下方に配置される収納位置Ａ（図１中仮装線で示した）と、天板３１の上縁部、腕部１１１の下縁部、突設部１１２の側縁部（図１において右側縁部）との間に棒金５０が挿入される略３角形状の棒金挿入空間部１６０が形成される棒金挿入位置Ｂ（図１中実線で示した）の間を移動可能である。
【００１７】
そして、カッタ部材１１０の棒金挿入空間部１６０に臨む部分には棒金挿入空間部１６０の包装の切断が可能な刃部１１３が形成されている。尚、この刃部１１３は前記棒金５０の包装を切断できる程度に鋭利であれば足り、オペレータの手指を傷つける程には鋭利である必要はない。
【００１８】
また、カッタ部材１１０の上縁部には、回転軸１２０に対して突設部１１２と同一方向に配置され、カッタ部材１１０が前記収納位置Ａに配置されているとき天板３１の上縁部より上部に配置される引張摘部材１３０が配置されている。この引張摘部材１３０は、天板３１の上縁に係止することによりカッタ部材１１０を記収納位置Ａから下方に移動するのを禁止する。
【００１９】
更に、カッタ部材１１０と設置台３０との間にはカッタ部材１１０を収納位置Ａに向け付勢する付勢部材である引っ張りスプリング１４０が配置されている。このため、カッタ部材１１０は、オペレータが引張摘部材１３０を操作してカッタ部材１１０を保持位置から棒金挿入位置Ｂまで移動させた後、引張摘部材１３０を離したときカッタ部材１１０を収納位置Ａに移動させる。また、天板３１には、カッタ部材１１０の開きすぎを防止するストッパ位置規制ピン１２１を配置し、カッタ部材１１０が開封対象となる最大径の硬貨（日本であれば５００円硬貨）の径を大きく超えないようにしている。
【００２０】
そして、本例では、天板３１には、カッタ部材１１０が前記収納位置Ａに配置されたとき、カッタ部材１１０の刃部１１３を含む突設部１１２を収納する鞘部材１５０を備えている。鞘部材１５０は、カッタ部材１１０を前記収納位置Ａに保持する。
【００２１】
この棒金開封装置１００を使用して棒金５０を開封するには、オペレータは、引張摘部材１３０を摘んでカッタ部材１１０を収納位置Ａから棒金挿入位置Ｂまで移動する。そしてカッタ部材１１０の下部に形成された棒金挿入空間部１６０に棒金５０を挿入して、カッタ部材１１０の刃部１１３で棒金５０の包装を切断する。これにより、棒金５０の包装は容易に開封できるものとなる。そして、オペレータが引張摘部材１３０を離すとカッタ部材１１０は、スプリング１４０で付勢され、収納位置Ａに移動し、突設部１１２及び刃部１１３は鞘部材１５０内に収納される。この動作に伴いカッタ部材１１０の引張摘部材１３０が天板３１の上縁に係止され、カッタ部材１１０はそれ以上下方に移動することがない。
【００２２】
以上説明したように、本例に係る棒金開封装置１００は、容易に棒金５０を開封できる上、ＰＯＳ端末１０の設置台３０に鈎型のカッタ部材１１０を回動可能に取り付けるだけという簡易な構造である他、嵩張らないので既存のＰＯＳ端末の近傍に容易に設置することができる。
【００２３】
尚、この例ではカッタ部材１１０に引張摘部材１３０を配置して、カッタ部材１１０を収納位置Ａから棒金挿入位置Ｂまで移動させるようにしたが、引張摘部材１３０に換え、押釦状部材を設けるようにしてもよい。この押釦状部材は、突設部１１２に対して回転軸１２０を挟んだ位置に配置され、カッタ部材１１０が収納位置Ａに配置されているとき設置台３０の上縁部より突出するように配置することが好適である。
【００２４】
図３は第１の実施の形態に係る棒金開封装置の変形例を示す正面図である。本例に係る棒金開封装置２００のカッタ部材２１０は、腕部２１１及び突設部２１２から構成される他刃部２１３を備えており、回転軸２２０で設置台３０に配置されている。本例は、カッタ部材２１０の突設部２１２の長さを延長形成し、カッタ部材２１０が棒金挿入位置Ｂまで移動したときでも突設部２１２の先端２１２ａが天板３１の上縁より下方に位置するものとすると共に、設置台３０にカッタ部材２１０の回転範囲を収納位置と、棒金挿入位置の間に限定する２本の位置規制ピン２３１、２３２を配置したものである。
【００２５】
本例によれば、カッタ部材２１０が棒金挿入位置に配置されたとき、突設部２１２の先端は天板３１の上縁より下方に位置するので、突設部２１２によってオペレータの手指等が傷つくおそれがない。
【００２６】
次に本発明の第２の実施の形態例について説明する。図４は第２の実施の形態に係る棒金開封装置の斜視図である。
【００２７】
本例に係る棒金開封装置３００は、金属製の取付部材３６０に前記第１の例と同様の構成のカッタ部材３１０を取り付け、この取付部材３６０を木ねじ３６３、３６４で設置台３０に固着するものである。
【００２８】
本例において、取付部材３６０は、設置台３０の上面３３に固定される水平板部３６１と、水平板部３６１の側縁から垂下される取付板部３６２とから構成されている。取付板部３６２には、カッタ部材３１０を回動可能に指示する回転軸３２０、カッタ部材３１０を収納方向に付勢するスプリング３４０、及び、カッタ部材３１０の突設部３１２及び刃部を収納する鞘部材３５０が配置されている。また、カッタ部材３１０の腕部３１１の上縁には引張摘部材３３０が配置されている。
【００２９】
本例に係る棒金開封装置３００によれば、取付部材３６０の水平板部３６１を木ねじ３６３，３６４容易に設置台３０に取り付け、棒金開封装置３００を設置台３０に配置できるので、既存のＰＯＳ端末等の硬貨取扱装置に容易に棒金開封装置を設置することができる。
【００３０】
次に本発明の第３の実施の形態例について説明する。図５は第３の実施の形態に係る棒金開封装置の斜視図である。
【００３１】
本例に係る棒金開封装置４００は、金属製の取付部材４６０に前記第１の例と同様の構成のカッタ部材４１０を取り付け、この取付部材４６０を前記第２の例と同様に木ねじで設置台に固着するものである。
【００３２】
本例において、取付部材４６０は、設置台３０の上面３３に固定される水平板部４６１と、水平板部４６１の側縁から垂下される取付板部４６２と、この取付板部４６２の下縁部から上方に向け前記取付板部４６２と前記カッタ部材４１０を収納できる寸法の間隔を開け立設されるカバー部材４６３とから構成されている。水平板部４６１と取付板部４６２との間には、カッタ部材４１０を回動可能に指示する回転軸４２０、カッタ部材４１０を収納方向に付勢するスプリング４４０が配置されている。尚、カッタ部材４１０は収納位置において、取付板部４６２とカバー部材４６３の間に配置される。また、カッタ部材４１０の腕部の上縁には引張摘部材４３０が配置されている。
【００３３】
本例によれば、カッタ部材４１０、回転軸４２０、スプリング４４０がカバー部材４６３で覆われるため、カッタ部材４１０等に他の物品やオペレータの手指が引っかかるおそれが無くなる他外観も洗練されたものとすることができる。また、取付部材４６０の水平板部４６１を木ねじで容易に設置台３０に取り付け、棒金開封装置４００を設置台３０に配置できるので、既存のＰＯＳ端末等の硬貨取扱装置に容易に棒金開封装置４００を設置することができる。
【００３４】
次に本発明の第４の実施の形態例について説明する。図６は第４の実施の形態に係る棒金開封装置の斜視図である。
【００３５】
本例に係る棒金開封装置５００は、金属製の取付部材５６０に前記第１の例と同様の構成のカッタ部材（図示していない）を取り付け、この取付部材５６０を公知のねじ式のクランプ装置５６５，５６６で設置台に固着するものである。尚、カッタ部材等の構造は前記第３の実施の形態例と同一であるのでその説明は省略する。
【００３６】
本例に係る棒金開封装置５００において、取付部材５６０は、水平板部５６１と、取付板部５６２と、カバー部材５６３と、カバー部材５６３の下端から水平方向にクランプ配置板５６４とを設けている。本例では、クランプ配置板５６４には雌ネジ部が形成され、クランプ装置５６５，５６６の締め付けねじが螺入され、取付部材５６０を設置台３０に固定することができる。
【００３７】
本例によれば、設置台３０を傷つけることなく棒金開封装置５００をクランプ装置５６５，５６６で容易に取り付けることができる。
【００３８】
次に本発明の第５の実施の形態例について説明する。図７は第５の実施の形態に係る開封装置を備えたドロワを示す図であり、（ａ）は斜視図、（ｂ）は平面図である。
【００３９】
本例に係る棒金開封装置６００は、第１の例と同様の構成のカッタ部材６１０をドロワ装置２０の引出２１内に配置したものである。引出２１には、仕切板２２で仕切られた硬貨収納部材２３が設置されており、本例では、棒金開封装置６００は、硬貨収納部材２３の側部に配置され、棒金開封装置６００は引出２１の外壁２４と硬貨収納部材２３との間に形成された隙間部２５に配置される。棒金開封装置６００は、カッタ部材６１０、回転軸６２０、スプリング（図示していない）、引張摘部材６３０を備えている。
【００４０】
この棒金開封装置６００を備えた硬貨収納部材２３を既存の硬貨収納部材に換えて配置することにより、既存のドロワ装置２０に棒金開封装置６００を配置することができる。
【００４１】
棒金開封装置６００を使用して棒金５０を開封するには、ドロワ装置２０から引出２１を引き出し、引張摘部材６３０を摘んでカッタ部材６１０を棒金挿入位置まで移動し、棒金５０の包装をカッタ部材６１０によって開封する。その後、カッタ部材６１０は、スプリングで収納位置に戻されるので、引出２１をドロワ装置２０に収納できる状態になる。本例によれば、ドロワ装置２０内に配置した棒金開封装置６００で容易に棒金５０を開封することができる他、棒金開封装置６００を外部に露出させないので、カッタ部材等に他の物品やオペレータの手指が引っかかるおそれが無くなる他、外観も洗練されたものとすることができる。
【００４２】
尚、この例では、棒金開封装置をドロワ装置２０に配置する場合について説明したが、棒金開封装置をＰＯＳ端末本体に配置することができる。この場合、棒金開封装置をＰＯＳ端末本体の複数の機能部材間に形成される隙間部に配置することが好適である。即ち、棒金開封装置のカッタ部材、回転軸、スプリングを前記隙間部に配置しておき、引張摘部材を隙間部から露出させておく。例えば、棒金開封装置をＰＯＳ端末１０に配置されているカード読取装置のカード読取溝１４のカード読取に支障がない個所に配置することができる。
【００４３】
そして、棒金開封装置を使用しないときには、カッタ部材を隙間部内の収納位置に配置し、棒金を開封するときには、引張摘部材を引っ張り、カッタ部材を棒金挿入位置まで移動する。本例によれば、ＰＯＳ端末本体に配置した棒金開封装置で容易に棒金を開封することができる他、棒金開封装置を外部に露出させないので、カッタ部材等に他の物品やオペレータの手指が引っかかるおそれが無くなる他、外観も洗練されたものとすることができる。
【図面の簡単な説明】
【００４４】
【図１】第１の実施の形態に係る棒金開封装置を示す斜視図である。
【図２】図１に示した棒金開封装置を示す図であり、（ａ）は正面図、（ｂ）は平面図である。
【図３】第１の実施の形態に係る棒金開封装置の変形例を示す正面図である。
【図４】第２の実施の形態に係る棒金開封装置の斜視図である。
【図５】第３の実施の形態に係る棒金開封装置の斜視図である。
【図６】第４の実施の形態に係る棒金開封装置の斜視図である。
【図７】第５の実施の形態に係る開封装置を備えたドロワを示す図であり、（ａ）は斜視図、（ｂ）は平面図である。
【符号の説明】
【００４５】
１００  棒金開封装置
１１０  カッタ部材
１１１  腕部
１１２  突設部
１１３  刃部
１２０  回転軸
１３０  引張摘部材（操作部）
１４０  スプリング（付勢部材）
１５０  鞘部材
１６０  棒金挿入空間部
【図１】
0004963648.tif 000002
【図２】
0004963648.tif 000003
【図３】
0004963648.tif 000004
【図４】
0004963648.tif 000005
【図５】
0004963648.tif 000006
【図６】
0004963648.tif 000007
【図７】
0004963648.tif 000008